(57)【特許請求の範囲】
【請求項１】
パネルより突き出ているピン端子が内側に突き出した状態で該パネルに取付けられ、ケーブルコネクタが接続されるシュラウドにおいて、
電気絶縁材製であり略直方体の箱形状であり、仕切り壁で仕切られて区画され、上記ケーブルコネクタが接続される複数のシュラウド区画部が並んでいるシュラウド本体と、
本体部と複数の端子部とを有し、該本体部が該シュラウド本体の内側面に露出して組み込まれており、上記複数の端子部が上記シュラウド本体の底側に突き出している金属板製のシールド板とよりなり、
上記シュラウド本体は、その底面より突き出したスタンドオフを分散して複数有し、
上記シールド板の上記端子部が、上記スタンドオフより突き出している構成としたことを特徴としたシュラウド。
【請求項２】
上記シュラウド本体は、上記仕切り壁に上記ケーブルコネクタの誤挿入を防止するケーブルコネクタ誤挿入防止溝を有する構成としたことを特徴とした請求項１記載のシュラウド。
【請求項３】
上記シールド板は、その本体部に、接続された上記ケーブルコネクタをロックするのに利用されるロック用係止部を有する構成としたことを特徴とした請求項１記載のシュラウド。
【請求項４】
上記シールド板は、その端子部が、プレスフィット構造である構成としたことを特徴とした請求項１記載のシュラウド。
【請求項５】
上記シールド板は、上記複数の端子部が上記本体部から櫛歯状に分散して突き出ており、該各端子部がプレスフィット構造である構成としたことを特徴とした請求項１記載のシュラウド。
【発明の詳細な説明】
【０００１】
【発明の属する技術分野】
本発明はシュラウドに係り、電磁適合性（ＥＭＣ；Electromagnetic Compatibility)の向上を図ったシュラウドに関する。
【０００２】
近年、通信装置では、大量のデータを信頼性良く伝送することが求められている。このためにはデータを例えば１Ｇｂｉｔ／秒以上の高速で伝送する必要がある。
【０００３】
コネクタ装置についてみると、データの伝送速度が高速となると、コネクタ接続部分から外部に出る電磁妨害雑音が増え、また、外部からの電磁波に対する感受性が高くなる傾向にある。そこで、コネクタ装置は、電磁適合性の向上を図ることが求められる。
【０００４】
電磁適合性とは、通信装置が様々な電磁環境条件に適合して正常動作を行なうことを意味し、ＥＭＩ（Electromagnetic Interference);装置から出る電磁妨害雑音、ＥＭＳ（Electromagnetic Susceptibility);外来電磁波に対する装置の感受性、及びＥＳＤ（Electrostatic Discharge)；静電気に対する装置の感受性を包括する概念である。
【０００５】
【従来の技術】
図１は従来のコネクタ装置１０を示す。１１は通信装置の内部である。１２は通信装置のバックパネルである。バックパネル１２の前面には、長いピン端子１３を有するプラグ１４が実装してあり、ピン端子１３はバックパネル１２の貫通孔１２ａを貫通してバックパネル１２の背面側に突き出ている。プラグ１４には、通信装置の内部で、ジャック１５が接続してある。
【０００６】
コネクタ装置１０は、合成樹脂製のシュラウド１６と、ケーブル１７の端のケーブルコネクタ１８とを有する。シュラウド１６は、その底面１６ａの貫通孔１６ａ１をバックパネル１２の背面側に突き出ているピン端子１３と嵌合させて、バックパネル１２の背面に固定してある。ピン端子１３はシュラウド１６内に突き出ている。ケーブルコネクタ１８はシュラウド１６内に挿入されて嵌合しており、ピン端子１３と接続してある。
【０００７】
【発明が解決しようとする課題】
しかしながら、従来のコネクタ装置１０において、シュラウド１６は合成樹脂製であり、電磁波に対する特別の工夫はなかった。よって、従来のコネクタ装置１０は電磁適合性が十分でなく、高速信号の伝送には適していなかった。
【０００８】
そこで、本発明は電磁適合性の向上を図ったシュラウドを提供することを目的とする。
【０００９】
【課題を解決するための手段】
そこで、上記課題を解決するため、請求項１の発明は、パネルより突き出ているピン端子が内側に突き出した状態で該パネルに取付けられ、ケーブルコネクタが接続されるシュラウドにおいて、
電気絶縁材製であり略直方体の箱形状であり、仕切り壁で仕切られて区画され、上記ケーブルコネクタが接続される複数のシュラウド区画部が並んでいるシュラウド本体と、
本体部と複数の端子部とを有し、該本体部が該シュラウド本体の内側面に露出して組み込まれており、上記複数の端子部が上記シュラウド本体の底側に突き出している金属板製のシールド板とよりなり、
上記シュラウド本体は、その底面より突き出したスタンドオフを分散して複数有し、
上記シールド板の上記端子部が、上記スタンドオフより突き出している構成としたものである。
【００１０】
シュラウドがパネルに取付けられてパネル上にケーブルコネクタ用コネクタが構築された状態で、シールド板がグランド電位とされ、電磁適合性の向上が図られる。これによって、高速信号の伝送に対応可能となる。
【００１１】
ケーブルコネクタ用コネクタが各シュラウド区画部に接続されることによって、ケーブルコネクタ用コネクタは電磁適合性の向上が図られた状態で、しかも、高密度に並んで接続される。
【００１３】
ピン端子のうちスタンドオフに対応する部分にワイヤラッピングエリアが確保され、この部分を利用して、パネルの配線の変更等のためのワイヤの端部を巻くことが可能となる。
【００１４】
請求項２の発明は、上記シュラウド本体は、上記仕切り壁にケーブルコネクタ誤挿入防止溝を有する構成としたものである。
【００１５】
ケーブルコネクタをこれが接続されるべきシュラウド区画部とは別のシュラウド区画部に接続しようとした場合に、挿入が阻止されて誤挿入が防止される。
【００１６】
請求項３の発明は、上記シールド板は、その本体部にロック用係止部を有する構成としたものである。
【００１７】
接続されたケーブルコネクタのケーブルを誤って強く引っぱった場合の力が、シールド板で受けられ、シュラウド本体に及ばないようになる。よって、電気絶縁材製のシュラウド本体が割れる等の事故の発生が防止される。
【００１８】
請求項４の発明は、上記シールド板は、上記端子部がプレスフィット構造である構成としたものである。
【００１９】
ねじ等で固定する場合に必要な取付け用のスペースが不要であり、シュラウドをパネルに最小の面積で取り付けることが可能となる。また、シュラウドのパネルへの固定は圧入で済み、簡単である。
【００２０】
請求項５の発明は、上記シールド板は、上記複数の端子部が上記本体部から櫛歯状に分散して突き出ており、該各端子部がプレスフィット構造である構成としたものである。
【００２１】
ケーブルコネクタを引いたときの力を全部の端子部で分散して受けることになり、よって、引抜きに強い構造となる。
【００５１】
【発明の実施の形態】
〔第１実施例〕
図２は本発明の第１実施例のコネクタ装置２０を分解して示し、図３は接続前の状態を示し、図４は接続された状態を示す。図５は接続を解除したときの状態を示す。２１は通信装置、２２は通信装置２１のバックパネルである。通信装置２１の内部２１ａは従来と同じ構成である。バックパネル２２の前面（通信装置２１の内部２１ａ側の面）には、長いピン端子２３を有するプラグ２４が実装してあり、ピン端子２３はバックパネル２２の貫通孔２２ａを貫通してバックパネル２２の背面側に突き出ている。プラグ２４には、通信装置２１の内部２１ａで、ジャック２５が接続してある。
【００５２】
上記の通信装置２１には、伝送の方式として平衡伝送が適用してある。平衡伝送はシグナルグランドに対して大きさが等しい＋の信号と−の信号とを平衡して伝送する方式であり、不平衡伝送方式に比べてノイズに強いという特性を有する。平衡伝送を行なう場合には、シグナルグランドとフレームグランドとを分ける必要がある。本実施例のコネクタ装置２０は、シグナルグランドとフレームグランドとを分ける場合に適用される構成である。
【００５３】
コネクタ装置２０は、バックパネル２２の背面側に突き出ているピン端子群３１と、シュラウド４０と、ケーブル５０の端のプルタブ付きの１０芯のケーブルコネクタ５１とを有し、平衡伝送及び高速信号の伝送に適した構造を有する。コネクタ装置２０は、概略的には、シュラウド４０がピン端子群３１と嵌合してバックパネル２２の背面に固定してあり、ケーブルコネクタ５１がシュラウド４０に嵌合して密に並んで接続される構成である。本明細書においてケーブルコネクタとはケーブルの端に設けてあるコネクタを意味する。
【００５４】
シュラウド４０は、実際にはバックパネル２２の背面に図６に示すように複数個が密に並んで固定してある。以下、説明の便宜上、一つのシュラウド４０、及び一つのシュラウド４０の一部について説明する。
【００５５】
以下、ピン端子群３１と、シュラウド４０と、ケーブルコネクタ５１とについて説明する。
【００５６】
〔ピン端子群３１〕
ピン端子群３１は、図２に示すように、複数のピン端子サブグループ３２−１，３２−２，３２−３…がＺ１，Ｚ２方向に並んでいる。ピン端子サブグループ３２−１は、一列が７本でＸ１，Ｘ２方向に二列に並んでいるピン端子３３−１…３３−１４よりなる。ピン端子３３−１…３３−１４は、Ｘ１，Ｘ２方向上両端のシグナルグランドピン端子３３−１，３３−７，３３−８，３３−１４と、残りの信号ピン端子とよりなる。信号ピン端子は、Ｚ１方向側の列の＋信号ピン端子３３−２〜３３−６と、Ｚ１方向側の列の−信号ピン端子３３−９〜３３−１３とよりなる。＋信号ピン端子３３−２と−信号ピン端子３３−９とが対をなす。
【００５７】
シグナルグランドピン端子３３−１等は、バックパネル２２のシグナルグランドと電気的に接続してある。
【００５８】
バックパネル２２には、ピン端子群３１のＸ１方向端及びＸ２方向端に沿った部位に、シュラウド４０を取付けるためのスルーホール３５が形成してある。スルーホール３５はバックパネル２２のフレームグランドと電気的に接続してある。
【００５９】
〔シュラウド４０〕
シュラウド４０は、図２及び図７に示すように、電気絶縁性を有する合成樹脂製であり略直方体の箱形状のシュラウド本体４１と、このシュラウド本体４１のＸ１，Ｘ２方向の両側にインサートモールドされて組み込まれている金属板製のシールド板４２、４３とよりなり、複数の区画されたシュラウド区画部４４−１〜４４−８がＺ１、Ｚ２方向に密に並んでいる構成である。
【００６０】
シュラウド本体４１は、図８（Ａ）乃至（Ｃ）に併せて示すように、直方体を形成する長辺側の側板部４１ａ，４１ｂと短辺側の側板部４１ｃ，４１ｄと、底板部４１ｅと、複数の仕切り壁４１ｆと、側板部４１ａ，４１ｂより突き出ており分散している複数のスタンドオフ４１ｇ，４１ｈとよりなる。
【００６１】
複数の仕切り壁４１ｆは、Ｚ１、Ｚ２方向上、等間隔で並んでいる。スタンドオフ４１ｇ，４１ｈは各仕切り壁４１ｆと対応する位置に形成してある。側板部４１ａ，４１ｂには、隣り合う仕切り壁４１ｆの間に、矩形の開口４１ａ１，４１ｂ１が形成してある。
【００６２】
便宜上、金属板製のシールド板４２、４３を取り除いた状態でシュラウド本体４１を断面すると、図９に示すようになる。４５、４６はシールド板４２、４３が組み込まれるための狭い空間である。
【００６３】
シールド板４２、４３は、側板部４１ａ，４１ｂと略同じ大きさの本体部４２ａ，４３ａと、本体部４２ａ，４３ａより上記スタンドオフ４１ｇ，４１ｈと対応して櫛歯状に分散して突き出ている複数のリード部４２ｂ，４３ｂと、各リード部４２ｂ，４３ｂの先端のプレスフィット構造の端子部４２ｃ，４３ｃとよりなる。本体部４２ａには、隣合うリード部４２ｂの間の部位に、接続されたケーブルコネクタ５１をロックすることに利用されるロック用係止部としてのロック用開口４２ａ１が形成してある。本体部４３ａにも、隣合うリード部４３ｂの間の部位にロック用開口４３ａ１が形成してある。シールド板４２、４３がシュラウド本体４１から外れて抜け出さないように、本体部４２ａ，４３ａの長手方向の両端部には、凸部４２ａ２、４３ａ２が形成してあり、且つ、本体部４２ａ，４３ａのうちリード部４２ｂ，４３ｂが突き出ている側の辺には、段部４２ａ３、４３ａ３が形成してある。
【００６４】
図１０及び図１１に示すように、シールド板４２、４３は、上記の狭い空間４５、４６内に組み込まれている。側板部４１ａ，４１ｂの部分では、本体部４２ａ，４３ａがシュラウド本体４１の内側に露出しており、且つ、各仕切り壁４１ｆの両端側で押えられている。ロック用開口４２ａ１と開口４１ａ１とは一致しており、ロック用開口４３ａ１と開口４１ｂ１とも一致している。開口４１ａ１、４１ｂ１はインサートモールドのときに金型のうちロック用開口４２ａ１、４３ａ１と嵌合する凸部によって形成されたものである。この開口４１ａ１、４１ｂ１は、ケーブルコネクタ５１のロックの状態を目で確認するのに利用される。スタンドオフ４１ｇ，４１ｈの部分は、リード部４２ｂ，４３ｂをくるんでいる。端子部４２ｃ，４３ｃは、スタンドオフ４１ｇ，４１ｈの端より突き出ている。
【００６５】
シュラウド４０は、仕切り壁４１ｆでもって仕切られて複数に区画されたシュラウド区画部４４−１〜４４−８を有する。
【００６６】
各シュラウド区画部４４−１〜４４−８は、複数のピン端子サブグループ３２−１，３２−２，３２−３…に対応しており、且つ、ケーブルコネクタ５１に対応する大きさを有する。Ｘ１及びＸ２側の内側面には、シールド板４２、４３の本体部４２ａ，４３ａが露出している。底板部４１ｅには、ピン端子サブグループ３２−１等のピン端子３３−１…３３−１４の並びに対応した並びで、複数の貫通孔４１ｅ１が形成してある。
【００６７】
また、各シュラウド区画部４４−１〜４４−８のＺ１，Ｚ２方向上対向する面（仕切り壁４１ｆの上面と下面、側板部４１ｃ，４１ｄの内側面）には、これに接続されるべきケーブルコネクタとは別のケーブルコネクタを接続してしまう誤挿入を防止するためのケーブルコネクタ誤挿入防止溝４７が形成してある。誤挿入防止溝４７の配置は、各シュラウド区画部４４−１〜４４−８毎、相違している。
【００６８】
図１２（Ａ）に拡大して示すように、誤挿入防止溝４７は、シュラウド区画部４４−１等の中心Ｏ１に関して点対称とならないように配置してある。これによって、シュラウド区画部４４−１等に接続されるべきケーブルコネクタ５１が正しくても、この上面と下面とを逆にした逆差しも防止される。
【００６９】
また、図１２（Ｂ）に示すように、同じ仕切り壁４１ｆ’の上面４１ｆａ’の誤挿入防止溝と下面４１ｆｂ’の誤挿入防止溝とが、仕切り壁の厚さ方向上同じ位置となると、仕切り壁４１ｆ’の厚さｔ１が厚くなってしまう。そこで、本実施例では、同じ仕切り壁４１ｆの上面４１ｆａの誤挿入防止溝と下面４１ｆｂの誤挿入防止溝とが、仕切り壁の厚さ方向上（Ｚ１，Ｚ２方向上）同じ位置とならないように、即ち、Ｘ１，Ｘ２方向上ずれて配置してある。よって、仕切り壁４１ｆの厚さｔ２が薄くなり、隣合うシュラウド区画部４４−１〜４４−８の距離（ピッチ）ｃは短くなり、シュラウド４０はＺ１，Ｚ２方向の寸法Ｌは短かくなっている。
【００７０】
上記のシュラウド４０は、図３に示すように、貫通孔４１ｅ１を対応するピン端子３３−１…３３−１４と嵌合させ、ピン端子３３−１…３３−１４がシュラウド４０内に突き出るようにし、プレスフィット構造の端子部４２ｃ，４３ｃをバックパネル２２のスルーホール３５に圧入されて固定されて、スタンドオフ４１ｇ，４１ｈの先端がバックパネル２２の裏面に当接してスタンドオフ４１ｇ，４１ｈでもってバックパネル２２の裏面に立っている状態で、実装される。ねじ止めする場合等に比べて、シュラウド４０を実装するために必要なバックパネル２２の裏面の面積は狭くて足りる。
【００７１】
また、図３に示すように、ピン端子３３−１…３３−１４の全長のうちスタンドオフ４１ｇ，４１ｈに対応する部分７６が、バックパネル２２の配線の変更等のためのワイヤの端部を巻く部分（ワイヤラッピングエリア）として利用される。
【００７２】
シュラウド４０が上記のようにピン端子３３−１…３３−１４と嵌合してバックパネル２２上に実装されると、バックパネル２２上に、ケーブルコネクタ用コネクタ４８が構築される。
【００７３】
〔ケーブルコネクタ５１〕
図１３、図２、図３に示すように、ケーブルコネクタ５１は、電気絶縁性を有する合成樹脂製のハウジング５２と、このハウジング５２の内部に組み込まれている第１の信号コンタクト５３、第２の信号コンタクト５４及び電気絶縁性を有する合成樹脂製の電線押さえ部材５５と、ハウジング５２の両側面に取り付けてある金属板製のラッチ爪部材５６、５７と、金属板製の下側シールドカバー５８と、金属板製の上側シールドカバー５９と、電気絶縁性を有する合成樹脂製のロック解除部材６０とを有し、シュラウド区画部４４−１等に挿入される大きさを有し、Ｙ１，Ｙ２方向に長い形状を有する。
【００７４】
第１の信号コンタクト５３は、Ｙ１方向端側にフォーク形状の第１のピン端子接触部５３ａを有し、Ｙ２方向端にＺ１方向に立ち上がっているフォーク形状の第１の電線固定部５３ｂを有し、途中にＹ１方向側からＹ２方向に向かってＺ２方向に下がったクランク形状の長さａの曲がり部５３ｃを有する。
【００７５】
第２の信号コンタクト５４は、直線状であり、Ｙ１方向端側にフォーク形状の第２のピン端子接触部５４ａを有し、Ｙ２方向端にＺ１方向に立ち上がっているフォーク形状の第２の電線固定部５４ｂを有する。
【００７６】
ハウジング５２は、Ｙ１方向端側にピン端子接触部収容部５２ａを有し、Ｙ１，Ｙ２方向の略中央部の上面に電線固定部位置決め溝部５２ｂを有し、Ｙ１，Ｙ２方向の略中央部の両側面に突起５２ｃ，５２ｄを有し、ピン端子接触部収容部５２ａの上面と下面のＹ１方向端側に凸状の誤挿入防止キー部５５ｅを有する構成である。
【００７７】
図１４に拡大して示すように、ピン端子接触部収容部５２ａは、高い（Ｚ１側）位置Ｈ１のＸ１，Ｘ２方向に整列している７つのトンネル部５２ａ１〜５２ａ７と、低い（Ｚ２側）位置Ｈ２のＸ１，Ｘ２方向に整列している７つのトンネル部５２ａ８〜５２ａ１４との二列の構造である。Ｘ１方向端のトンネル部５２ａ１、５２ａ８のＸ１方向側は、開口窓５２ａ１５となっている。Ｘ２方向端のトンネル部５２ａ７、５２ａ１４のＸ２方向側も、開口窓５２ａ１６となっている。開口窓５２ａ１５、５２ａ１６は後述する図１９中の接触片５８Ｂｂ２，５８Ｂｂ３，５８Ｂｃ２、５８Ｂｃ３が入り込むために利用される。
【００７８】
同じく図１４に示すように、電線固定部位置決め溝部５２ｂは、第１の電線固定部位置決め溝部５２ｂ１と、第２の電線固定部位置決め溝部５２ｂ２とよりなり、上記の位置Ｈ２と略同じ高さの平面上に位置している。
【００７９】
第１の信号コンタクト５３は、第１のピン端子接触部５３ａを高い位置Ｈ１のトンネル部５２ａ２〜５２ａ６、即ち、両端のトンネル部５２ａ１、５２ａ７を除いたトンネル部に挿入されて、第１の電線固定部５３ｂを第１の電線固定部位置決め溝部５２ｂ１に嵌合されて取付けてある。第２の信号コンタクト５４は、第２のピン端子接触部５３ａを低い位置Ｈ２のトンネル部５２ａ９〜５２ａ１３、即ち、両端のトンネル部５２ａ８、５２ａ１４を除いたトンネル部に挿入されて、第２の電線固定部５４ｂを第２の電線固定部位置決め溝部５２ｂ２に嵌合されて取付けてある。
【００８０】
Ｙ１，Ｙ２方向上、第１のピン端子接触部５３ａと第２のピン端子接触部５３ａとは同じ位置にあり、第１の電線固定部５３ｂは第２の電線固定部５４ｂよりＹ１方向側に、寸法ｂだけ寄っている。寸法ｂは上記の曲がり部５３ｃの長さａと等しい。よって、第１の信号コンタクト５３の第１のピン端子接触部５３ａと第１の電線固定部５３ｂとの間の第１の信号コンタクト５３に沿う長さと、第２の信号コンタクト５４の第２のピン端子接触部５４ａと第２の電線固定部５４ｂとの間の第２の信号コンタクト５４に沿う長さとは等しくなっている。後述するように、平衡伝送される＋信号と−信号との間で時間的なずれ（スキュー）が発生しないようにするためである。
【００８１】
誤挿入防止キー部５５ｅは、各シュラウド区画部４４−１〜４４−８の誤挿入防止溝４７の配置と対応して配置してある。各ケーブルコネクタ５１毎に誤挿入防止キー部５５ｅの位置は異なっており、各シュラウド区画部４４−１〜４４−８にはそれぞれに対応するケーブルコネクタだけが挿入接続され、それ以外のケーブルコネクタはシュラウド区画部の入口で挿入を制限される。よって、ケーブルコネクタをこれと対応するシュラウド区画部以外のシュラウド区画部に挿入接続してしまう誤接続は防止される。また、誤挿入防止キー部５５ｅは、ピン端子接触部収容部５２ａのＹ１方向端面の中心Ｏ２に関して点対称とならないように配置してある。これによって、シュラウド区画部４４−１等に接続されるべきケーブルコネクタ５１が正しくても、この上面と下面とを逆にした逆差しも防止される。
【００８２】
ケーブル５０は、端のシールド網線７０を、下側シールドカバー５８の舌部５８ｄ及び上側シールドカバー５９の舌部５９ｄと共に、金属製のかしめリング６１によってかしめられて、ケーブルコネクタ５１に固定してある。ケーブル５０の端よりは＋信号用の電線７１と−信号用の電線７２とが同じ長さで引き出されている。＋信号用の電線７１の先端は第１の電線固定部５３ｂに押し込まれて、−信号用の電線７２の先端は第２の電線固定部５４ｂに押し込まれて、且つ、電線押さえ部材５５によって押されて、夫々第１の信号コンタクト５３及び第２の信号コンタクト５４に接続されている。電線押さえ部材５５はハウジング５２の内側に嵌合してＹ１，Ｙ２方向の動きを制限されている。
【００８３】
ラッチ爪部材５６，５７は、先端側にフック部５６ａ，５７ａ、基部側に曲がり部５６ｂ，５７ｂ、途中に台形部５６ｃ，５７ｃを有する。ラッチ爪部材５６，５７は、図５に併せて示すように、基部側の曲がり部５６ｂ，５７ｂがハウジング５２の凹部５２ｆに嵌合し、且つ、外側を下側シールドカバー５８の側板部５８ｂ，５８ｃによって弾性的に押さえられて取り付けてある。台形部５６ｃ，５７ｃはハウジング５２の開口窓５２ｇを通ってハウジング５２内に進入している。台形部５６ｃ，５７ｃは、曲がり部５６ｂ，５７ｂ寄り側に、傾斜部５６ｃ１，５７ｃ１を有する。
【００８４】
図１３に示すように、下側シールドカバー５８は、底板部５８ａと、Ｘ１，Ｘ２方向上両側の側板部５８ｂ，５８ｃと、Ｙ２方向端の舌部５８ｄとよりなる。上側シールドカバー５９は、天板部５９ａと、Ｘ１，Ｘ２方向上両側の側板部５９ｂ，５９ｃと、Ｙ２方向端の舌部５９ｄとよりなる。下側シールドカバー５８と上側シールドカバー５９とは、底板部５８ａがハウジング５２の底面を覆い、天板部５９ａが第１の信号コンタクト５３及び第２の信号コンタクト５４を覆って、全体を包むように取り付けてある。側板部５９ｂ，５９ｃが側板部５８ｂ，５８ｃの外側に位置する。
【００８５】
上側シールドカバー５９の側板部５９ｂ，５９ｃには、Ｙ１方向端の近傍に、外側に突き出た接触片５９ｂ２，５９ｃ２が形成してある。接触片５９ｂ２，５９ｃ２は上記のシールド板４２、４３に接触するためである。下側シールドカバー５８の側板部５８ｂ，５８ｃには、Ｙ１方向端の近傍であって、前記の開口窓５２ａ１５、５２ａ１６に対向する部位に、開口５８ｂ２，５８ｂ３，５８ｃ２、５８ｃ３が形成してある。これは、シグナルグランドをフレームグランドとを電気的に分けるためである。
【００８６】
下側シールドカバー５８の底板部５８ａ及び上側シールドカバー５９の天板部５９ａのＹ１方向端には、誤挿入防止キー部５５ｅに対応して切り欠き５８ａ１、５９ａ１が形成してある。
【００８７】
図１５（Ａ）に示すように、上側シールドカバー５９の側板部５９ｂ，５９ｃには、Ｙ１，Ｙ２方向に長いガイド開口５９ｂ１（側板部５９ｃのガイド開口は図示せず）が形成してある。中央よりＹ１方向に寄った部位にＺ１，Ｚ２方向に広がった幅広部５９ｂ１ａを有する。幅広部５９ｂ１ａは、突起部６０ｄを通すために形成してある。５９ｂ２、５９ｂ３はガイド部であり、側板部５９ｂのうちガイド開口５９ｂ１に臨む部分であり、Ｙ１，Ｙ２方向に延在している。
【００８８】
ロック解除部材６０は、箱部６０ａと、箱部６０ａのＸ２，Ｘ１方向端よりＹ１方向に平行に延びている腕部６０ｂ，６０ｃと、腕部６０ｂ，６０ｃのＹ１方向端の内側に対向するように突き出ている突起部６０ｄ，６０ｅと、箱部６０ａよりＹ２方向に延びているプルタブ部６０ｆとを有する。
【００８９】
箱部６０ａは、図３中、略台形状であり、ケーブル５０の端部及びハウジング５２を覆っている下側シールドカバー５８及び上側シールドカバー５９のうちＹ２方向端寄りの部分を丁度囲んでいる。
【００９０】
腕部６０ｂ，６０ｃは、ハウジング５２を覆っている上側シールドカバー５９の側板部５９ｂ，５９ｃに沿っている。腕部６０ｂ，６０ｃの途中の矩形の開口６０ｂ１，６０ｃ１が、上記の突起５２ｃ，５２ｄに嵌合している。
【００９１】
突起部６０ｄ，６０ｅは、上記幅広部５９ｂ１ａに対応するサイズの略立方体形状であり、腕部６０ｂ，６０ｃ寄りの部位にガイド溝６０ｄａ，６０ｄｂ，６０ｅａ，６０ｅｂが形成してある。ガイド溝６０ｄａ，６０ｄｂ，６０ｅａ，６０ｅｂは突起部６０ｄ，６０ｅのＺ１側の面及びＺ２側の面から上記のガイド開口５９ｂ１に対応して切り込まれて形成してあり、Ｙ１，Ｙ２方向に延在している。
【００９２】
図３に示すケーブルコネクタ５１を接続する前の状態では、突起部６０ｄは、幅広部５９ｂ１ａの部分を利用してガイド開口５９ｂ１内にＸ２方向に挿入されて、Ｙ２方向に少し移動された位置に位置している。図１５（Ｂ）に示すように、ガイド溝６０ｄａ，６０ｄｂは夫々ガイド部５９ｂ２、５９ｂ３と嵌合してある。突起部６０ｄは、下側シールドカバー５８の側板部５８ｂの開口５８ｂ１、ハウジング５２の開口５２ｇを通ってハウジング５２内に突き出ており、ラッチ爪部材５６の台形部５６ｃに対向している。別の突起部６０ｅも、図３に示すように、上記の突起部６０ｄと同じく、ガイド溝６０ｅａ，６０ｅｂがガイド部と嵌合されており、突起部６０ｅの先端がラッチ爪部材５７の台形部５７ｃに対向している。
【００９３】
ロック解除部材６０は、箱部６０ａがハウジング５２を囲み、突起部６０ｄ，６０ｅがハウジング５２の開口５２ｇに嵌合して、ハウジング５２に支持されており、Ｙ２方向に移動可能である。
【００９４】
図１３に示すように、プルタブ部６０ｆには、スリット６０ｆ１を利用して、ケーブルコネクタ５１が扱う信号の種類、ケーブルコネクタ５１が接続される位置等が記載されているタグ７５が付けてある。このタグ７５は、ケーブルコネクタ５１の接続を解除させるときに、作業者がプルタブ部６０ｆを掴んで引く代わりに、掴んで引く場所としても利用される。
【００９５】
上記のケーブルコネクタ５１において、下側シールドカバー５８及び上側シールドカバー５９のハウジング５２に対する固定は、以下のようになされている。Ｙ１，Ｙ２方向については、側板部５８ｂの切り欠き５８ｂ４と側板部５９ｂの切り欠き５９ｂ３とが突起５２ｃと嵌合し、且つ側板部５８ｃの切り欠き５８ｃ４と側板部５９ｃの切り欠きとが突起５２ｄと嵌合して固定してある。Ｚ１，Ｚ２方向については、Ｙ２方向側は、かしめられたかしめリング６１によって固定してあり、Ｙ１方向側は、ハウジング５２の開口５２ｇに嵌合している突起部６０ｄ、６０ｅにガイド開口５９ｂ１及び開口５８ｂ１が嵌合していることによって固定してある。
【００９６】
次に、上記構成のケーブルコネクタ５１をシュラウド４０に対して接続する操作、接続された状態、接続を解除する操作等について説明する。
【００９７】
〔接続する操作〕
図３及び図２に示すように、ケーブルコネクタ５１を、上下面を正しい向きとして、シュラウド４０所定のシュラウド区画部、例えばシュラウド区画部４４−１にＹ１方向にそれ以上の挿入が制限される最終位置まで挿入する。
【００９８】
誤挿入防止キー部５５ｅとケーブルコネクタ誤挿入防止溝４７とによって、別のシュラウド区画部内への挿入、及び、ケーブルコネクタ５１の上下面逆向きでの挿入は防止される。
【００９９】
〔接続された状態〕
ケーブルコネクタ５１は、図４に示すように、各第１のピン端子接触部５３ａが＋信号ピン端子３３−２〜３３−６と接続され、第２のピン端子接触部５４ａが対応する−信号ピン端子３３−９〜３３−１３と接続され、接触片５９ｂ２，５９ｃ２が夫々シールド板４２、４３の本体部４２ａ，４３ａと弾性的に接触され、フック部５６ａ，５７ａが夫々シールド板４２、４３の開口４１ａ１，４１ｂ１を係止した状態で、接続してある。
【０１００】
シュラウド４０のシールド板４２、４３がバックパネル１２のフレームグランドと電気的に接続されており、ケーブルコネクタ５１を覆っているシールドカバー５８、５９は、シールド板４２、４３を介してバックパネル１２のフレームグランドと電気的に接続されているため、ケーブルコネクタ５１内の第１の信号コンタクト５３、第２の信号コンタクト５４及び電線７１、７２、及びシュラウド区画部４４−１内の信号ピン端子及びシグナルグランドピン端子は、ＥＭＩ対策、ＥＭＳ対策、ＥＳＤ対策がなされて、ＥＭＣの向上が図られている。
【０１０１】
また、第１の信号コンタクト５３と第２の信号コンタクト５４との長さが調整してあり、平衡伝送される＋信号と−信号との間で時間的なずれ（スキュー）の発生が抑制され、例えば１Ｇｂｉｔ／秒以上の高速信号も信頼性良く伝送される。
【０１０２】
また、フック部５６ａ，５７ａが開口４１ａ１，４１ｂ１を係止しており、ケーブルコネクタ５１はシュラウド区画部４４−１にロックされている。よって、誤ってケーブル５０を強い力Ｆ１で引っぱった場合にも、ケーブルコネクタ５１は外れない。また、この力Ｆ１は、金属板であるシールド板４２、４３で受け止められるため、合成樹脂製であるシュラウド本体４１を傷めたり、シュラウド本体４１が割れたりする事故は起きない。また、シュラウド４０は各シュラウド区画部４４−１毎に正面の矩形開口側から見て、矩形開口のシュラウド区画部４４−１の各コーナの４か所をリード部４２ｂ，４３ｂとプレスフィット構造の端子部４２ｃ，４３ｃとによってバックパネル２２に堅固に固定してある。また、上記の強い力Ｆ１は、シュラウド区画部４４−１以外のシュラウド区画部においてバックパネル２２のスルーホール３５に圧入されているプレスフィット構造の端子部４２ｃ，４３ｃによっても受けられる。よって、シュラウド４０がバックパネル２２から浮くことは起きない。
【０１０３】
また、シュラウド区画部４４−１〜４４−８の距離（ピッチ）ｃが短いため、ケーブルコネクタ５１は、Ｚ１，Ｚ２方向上、密に並び、ケーブルコネクタ５１の接続密度は高い。
【０１０４】
また、開口４１ａ１、４１ｂ１を通して、フック部５６ａ，５７ａが夫々シールド板４２、４３の開口４１ａ１，４１ｂ１を係止していることを目で確認することが出来る。
【０１０５】
〔接続を解除する操作〕
タグ７５又はプルタブ部６０ｆをＹ２方向に引く。この操作によって、図５に示すように、ロック解除部材６０がＹ２方向に移動し、突起部６０ｄ，６０ｅがラッチ爪部材５６，５７の傾斜部５６ｃ１，５７ｃ１を押して、ラッチ爪部材５６，５７がケーブルコネクタ５１の中心側に向かって弾性的に撓まされて、フック部５６ａ，５７ａが開口４１ａ１，４１ｂ１から外れて、ロックが解除される。ロックが解除されると同時に、開口６０ｂ１，６０ｃ１のＹ１方向の内面６０ｂ１ａ，６０ｃ１ａが突起５２ｃ，５２ｄに当たり、タグ７５又はプルタブ部６０ｆを引く力がハウジング５２に伝わり、ケーブルコネクタ５１がシュラウド区画部４４−１から抜け出し、ケーブルコネクタ５１のシュラウド区画部４４−１に対する接続が解除される。即ち、タグ７５又はプルタブ部６０ｆをＹ２方向に引くという一つの操作によって、ロックの解除とケーブルコネクタ５１の引き抜きという２つ動作がなされる。ケーブルコネクタ５１の接続を解除するための操作は、タグ７５又はプルタブ部６０ｆをＹ２方向に引くという一つの操作（ワンアクション）で済み、操作性が良い。
【０１０６】
また、ロックが解除されると同時に開口６０ｂ１，６０ｃ１のＹ１方向の内面６０ｂ１ａ，６０ｃ１ａが突起５２ｃ，５２ｄに当たるようになっているため、ラッチ爪部材５６，５７が無用に大きく撓まされることは起きない。また、タグ７５又はプルタブ部６０ｆをＹ２方向に引く力がケーブルコネクタ５１に確実に伝達され、しかも、ケーブルコネクタ５１のＸ１，Ｘ２方向の両側の側面の部位に伝達され、よって、ケーブルコネクタ５１がシュラウド区画部４４−１から抜け出す動作が円滑になされる。
【０１０７】
また、タグ７５はプルタブ部６０ｆより後方に延びている。よって、複数のケーブルコネクタ５１がＺ１，Ｚ２方向上密に並んでおり、プルタブ部６０ｆにまで指先が届き難い場合であっても、タグ７５の端を掴むことは容易である。よって、タグ７５を利用することによって、複数のケーブルコネクタ５１がＺ１，Ｚ２方向上密に並んでいる場合であっても、目的とするケーブルコネクタ５１の接続の解除を容易に行なうことが出来る。
【０１０８】
タグ７５又はプルタブ部６０ｆから手を離すと、ラッチ爪部材５６，５７自身のばね力によって、傾斜部５６ｃ１，５７ｃ１が突起部６０ｄ，６０ｅをＹ１方向に押し戻し、ロック解除部材６０は自動的にＹ１方向に少し戻され、図３に示す最初の状態となる。よって、ケーブルコネクタ５１を抜いた後にロック解除部材６０を元の位置に戻る操作は不要であり、操作性が良い。
【０１０９】
また、上記突起部６０ｄ，６０ｅはガイド溝６０ｄａ，６０ｄｂを夫々ガイド部５９ｂ２、５９ｂ３に案内されて、Ｘ１、Ｘ１方向に変位することを規制されつつ移動する。よって、Ｙ２方向に移動するときに、突起部６０ｄ，６０ｅはラッチ爪部材５６，５７によってケーブルコネクタ５１の外側に押されるけれども、この変位は規制される。よって、上記ロック解除部材６０がＹ２方向に移動されるときのラッチ爪部材５６，５７のフック部５６ａ，５７ａが開口４１ａ１，４１ｂ１から外れる方向への弾性的に撓わむ動作は確実になされ、ロックの解除が確実になされる。また、腕部６０ｂ，６０ｃがケーブルコネクタ５１の側面から浮いてケーブルコネクタ５１がＸ１、Ｘ２方向上、外側に膨らむことは起きない。
【０１１０】
〔シュラウド４０の変形例〕
図１６はシュラウドの変形例を示す。このシュラウド４０Ａは、図１７に併せて示す電気絶縁性を有する合成樹脂成形品であるシュラウド本体４１Ａの両側の内側の溝４５Ａ，４６Ａ内に、シュラウド４０Ａの底面側からシールド板４２、４３を圧入して固定してある構造である。
【０１１１】
〔第２実施例〕
図１８は本発明の第２実施例のコネクタ装置２０Ｂの接続された状態を示す。コネクタ装置２０Ｂは、バックパネル２２のシグナルグランドをフレームグランドと同電位として使用する場合に適用される構成であり、第１実施例のコネクタ装置２０とは、ケーブルコネクタ５１Ｂだけが相違する。ケーブルコネクタ５１Ｂは、上記のケーブルコネクタ５１と比較すると、図１９に示すように、下側シールドカバー５８Ｂだけが相違する。下側シールドカバー５８Ｂは、図１３中の下側シールドカバー５８とは、開口５８ｂ２，５８ｂ３，５８ｃ２、５８ｃ３の個所に下側シールドカバー５８Ｂの内側に突き出た接触片５８Ｂｂ２，５８Ｂｂ３，５８Ｂｃ２、５８Ｂｃ３が形成されている構成だけが相違する。
【０１１２】
ケーブルコネクタ５１Ｂは図１８に示すようにシュラウド４０と接続される。接触片５８Ｂｂ２，５８Ｂｂ３，５８Ｂｃ２、５８Ｂｃ３がシグナルグランドピン端子３３−１，３３−７，３３−８，３３−１４と接触している。よって、下側シールドカバー５８Ｂ及び上側シールドカバー５９、更には、シールド板４２、４３を通して、バックパネル２２のシグナルグランドの電位がバックパネル２２のフレームグランドとの電位と同電位とされる。
【０１１３】
〔第３実施例〕
図２０は本発明の第３実施例のケーブルコネクタ用コネクタ８０を示す。ケーブルコネクタ用コネクタ８０は、図２１及び図２２に併せて示すように、シュラウド４０Ｃに、複数のピン端子８１が整列して固定してある構成である。
【０１１４】
シュラウド４０Ｃは、電気絶縁性を有する合成樹脂製であり略直方体の箱形状のシュラウド本体４１Ｃと、このシュラウド本体４１ＣのＸ１，Ｘ２方向の両側に金属板製のシールド板４２Ｃ、４３Ｃがインサートモールドされて組み込まれており、複数の区画されたシュラウド区画部４４Ｃ−１〜４４Ｃ−８がＺ１、Ｚ２方向に密に並んでおり、且つ、各シュラウド区画部毎にプレスフィット構造の端子部４２Ｃｃ，４３Ｃｃが突き出て並んでいる構成である。インサートモールドに代えて、シールド板４２Ｃ、４３Ｃはシュラウド本体４１Ｃの溝内に圧入されていてもよい。
【０１１５】
シュラウド本体４１Ｃは、直方体を形成する長辺側の側板部４１Ｃａ，４１Ｃｂと短辺側の側板部４１Ｃｃ，４１Ｃｄと、底板部４１Ｃｅと、複数の仕切り壁４１Ｃｆとよりなる。複数の仕切り壁４１Ｃｆは、Ｚ１、Ｚ２方向上、等間隔で並んでいる。仕切り壁４１Ｃｆの上面及び下面には、ケーブルコネクタの誤挿入を防止するためのケーブルコネクタ誤挿入防止溝４７Ｃが形成してある。
【０１１６】
シールド板４２Ｃ、４３Ｃは、側板部４１Ｃａ，４１Ｃｂと略同じ大きさの本体部４２Ｃａ，４３Ｃａと、本体部４２Ｃａ，４３Ｃａより上記シュラウド区画部４４Ｃ−１〜４４Ｃ−８と対応して櫛歯状に突き出ているプレスフィット構造の端子部４２Ｃｃ，４３Ｃｃとよりなる。
【０１１７】
複数のピン端子８１は、底板部４１Ｃｅの複数の貫通孔４１Ｃｅ１に圧入等されて固定しており、シュラウド区画部４４Ｃ−１〜４４Ｃ−８毎、２列に整列してある。ピン端子８１はシュラウド区画部４４Ｃ−１〜４４Ｃ−８内に突き出ているピン端子部８１ａと、シュラウド４０Ｃの底面より突き出ているピン端子部８１ｂとを有する。
【０１１８】
上記のコネクタ８０は、図２２に示すように、ピン端子部８１ｂをプリント基板８５のスルーホール８５ａに挿入して半田付けされて、プレスフィット構造の端子部４２Ｃｃ，４３Ｃｃをプリント基板８５スルーホール８５ｂに圧入されて、プリント基板８５上に実装される。実装された状態で、前記のケーブルコネクタ５１が接続される。
【０１１９】
〔シールド板の変形例〕
図２３（Ａ），（Ｂ）はシールド板の変形例の一部を示す。このシールド板４３Ｄは、前記のロック用開口に代えて、ロック用係止部としてのロック用段部４３Ｄａを有する。このロック用段部４３Ｄａは、切り起こして形成してある。図２３（Ｂ）に示すように、ラッチ爪部材５６のフック部５６ａがロック用段部４３Ｄａに係止される。
【０１２０】
〔第４実施例〕
図２４は、本発明の第４実施例のケーブルコネクタ１００の、シュラウド４０への接続ロックを解除する過程における状態変化を示す。図２４（Ａ）にはケーブルコネクタ１００がシュラウド４０に接続ロックされている状態が、図２４（Ｂ）にはケーブルコネクタ１００がロック解除される直前の状態が、また、図２４（Ｃ）にはケーブルコネクタ１００がロック解除された後の状態が、それぞれ示されている。尚、図２４（Ａ）〜（Ｃ）において、上記第１実施例のケーブルコネクタ５１の構成部分と同一の部分については、同一の符号を付してその説明を省略する。
【０１２１】
図２４に示す如く、ケーブルコネクタ１００は、シュラウド４０に嵌合される。ケーブルコネクタ１００は、第１および第２の信号コンタクト５３，５４が組み込まれた電気絶縁性を有する合成樹脂製のハウジング１０２と、ハウジング１０２の両側面に取り付けられるラッチ爪部材５６，５７と、ハウジング１０２を覆う下側および上側シールドカバー５８，５９と、下側および上側シールドカバー５８，５９の一部を覆う電気絶縁性を有する合成樹脂製のロック解除部材１０４とを有している。ロック解除部材１０４と、下側および上側シールドカバー５８，５９およびハウジング１０２とは、Ｙ１，Ｙ２方向の所定の範囲で相対変位が許容されるように構成されている。以下、ハウジング１０２、および、下側および上側シールドカバー５８，５９を総称する場合は、コネクタ本体部１０６と称す。
【０１２２】
ハウジング１０２のＹ２方向端部とロック解除部材１０４のＹ２方向内面側との間には、内部空間１０７が形成されている。ケーブルコネクタ１００は、内部空間１０７に露出して配設されたバネ１０８を有している。バネ１０８は、略Ｖ字状に形成された板バネであり、上側腕部１０８ａと下側腕部１０８ｂとにより構成されている。ハウジング１０２およびロック解除部材１０４には、それぞれ、上述した第１実施例のハウジング５２またはロック解除部材６０と異なり、バネ１０８を取り付けるための掛止部１０２ａ，１０４ａが設けられている。バネ１０８は、下側腕部１０８ｂの先端部がハウジング１０２の掛止部１０２ａに固定され、上側腕部１０８ａの先端部がロック解除部材１０４の掛止部１０４ａに固定されるように配置されている。バネ１０８は、ロック解除部材１０４とコネクタ本体部１０６とを引き寄せる方向に付勢力を発生させる。
【０１２３】
図２４（Ａ）に示す如く、ケーブルコネクタ１００がシュラウド４０に接続されている状態では、ロック解除部材１０４とコネクタ本体部１０６とは、バネ１０８により所定の位置関係に維持されている。かかる状態で、図２４（Ｂ）に示す如くロック解除部材１０４をコネクタ本体部１０６に対してＹ２方向に移動させると、ロック解除部材１０４のＹ１方向端部に形成された突起部１０４ａ，１０４ｂがラッチ爪部材５６，５７の傾斜部５６ｃ１，５７ｃ１を内側に押圧する。そして、ロック解除部材１０４のＹ２方向への移動が継続すると、ラッチ爪部材５６，５７が、シュラウド本体４１に形成された開口４１ａ１，４１ｂ１から外れることにより、図２４（Ｃ）に示す如く、ケーブルコネクタ１００とシュラウド４０との接続ロックが解除される。従って、本実施例によれば、上記第１実施例と同様に、ケーブルコネクタ１００のシュラウド４０への接続を操作性よく簡単に解除することができる。
【０１２４】
本実施例において、ケーブルコネクタ１００とシュラウド４０との接続ロックが解除された直後は、ロック解除部材１０４がコネクタ本体部１０６に対してＹ２方向に移動しているため、ロック解除部材１０４とコネクタ本体部１０６との相対距離が大きくなり、バネ１０８は、上側腕部１０８ａの先端部と下側腕部１０８ｂの先端部との距離が広がる方向に弾性変形している。この際、ロック解除部材１０４とコネクタ本体部１０６との間には、両者を引き寄せる方向にバネ１０８による大きな付勢力が発生する。ロック解除部材１０４とコネクタ本体部１０６とを引き寄せる方向にバネ１０８による大きな付勢力が発生すると、ロック解除部材１０４とコネクタ本体部１０６とは引き寄せられる。
【０１２５】
このため、本実施例によれば、ロック解除部材１０４をＹ２方向に移動させることによりケーブルコネクタ１００とシュラウド４０との接続ロックが解除された直後、別途にロック解除部材１０４を操作することなく、ロック解除部材１０４とコネクタ本体部１０６との相対位置を、図２４（Ｃ）に示す如く元の位置に確実に復帰させることができる。
【０１２６】
ロック解除部材１０４とコネクタ本体部１０６との相対位置が元の位置に確実に復帰することとなれば、次にケーブルコネクタ１００をシュラウド４０に接続する際にも、ケーブルコネクタ１００とシュラウド４０とを確実に接続ロックさせることが可能となる。従って、本実施例のケーブルコネクタ１００によれば、シュラウド４０との接続の高い信頼性を確保することができる。
【０１２７】
〔第５実施例〕
図２５は、本発明の第５実施例のケーブルコネクタ１１０の要部の分解斜視図を示す。また、図２６は、本実施例のケーブルコネクタ１１０の、シュラウド４０への接続ロックを解除する過程における状態変化を示す。図２６（Ａ）にはケーブルコネクタ１１０がシュラウド４０に接続ロックされた状態が、図２６（Ｂ）にはケーブルコネクタ１１０がロック解除される直前の状態が、また、図２６（Ｃ）にはケーブルコネクタ１１０がロック解除された後の状態が、それぞれ示されている。尚、図２５および図２６（Ａ）〜（Ｃ）において、上記第１実施例のケーブルコネクタ５１の構成部分と同一の部分については、同一の符号を付してその説明を省略する。
【０１２８】
図２５および図２６に示す如く、ケーブルコネクタ１１０は、第１および第２の信号コンタクト５３，５４が組み込まれた電気絶縁性を有する合成樹脂製のハウジング５２と、ハウジング５２の両側面に取り付けられるラッチ爪部材５６，５７と、ハウジング５２を覆う下側および上側シールドカバー１１２，５９と、下側および上側シールドカバー１１２，５９の一部を覆う電気絶縁性を有する合成樹脂製のロック解除部材１１４とを有している。以下、ハウジング５２、および、下側および上側シールドカバー１１２，５９を総称する場合は、コネクタ本体部１１６と称す。
【０１２９】
下側シールドカバー１１２は、底板部１１２ａと、底板部１１２ａのＸ１，Ｘ２方向端部から上方に延びる側板部１１２ｂ，１１２ｃとにより構成されている。下側シールドカバー１１２の側板部１１２ｃのＹ２方向端には、板バネ１１２ｃ１が一体に形成されている。ロック解除部材１１４には、板バネ１１２ｃ１を取り付けるための掛止部１１４ａが設けられている。板バネ１１２ｃ１は、略Ｖ字状に形成されており、ロック解除部材１１４とコネクタ本体部１１６とが組み付けられた際にその先端部がロック解除部材１１４の掛止部１１４ａに固定されるように配置されている。板バネ１１２ｃ１は、ロック解除部材１１４とコネクタ本体部１１６との組付後、両者を引き寄せる方向に付勢力を発生させる。
【０１３０】
本実施例において、ケーブルコネクタ１１０がシュラウド４０に接続されている状態（図２６（Ａ））から、ロック解除部材１１４をコネクタ本体部１１６に対してＹ２方向に移動させる（図２６（Ｂ））と、ラッチ爪部材５６，５７がシュラウド本体４１の開口４１ａ１，４１ｂ１から外れることにより、ケーブルコネクタ１１０とシュラウド４０との接続ロックが解除される。従って、本実施例によれば、ケーブルコネクタ１１０のシュラウド４０への接続を操作性よく簡単に解除することができる。
【０１３１】
本実施例において、ケーブルコネクタ１１０とシュラウド４０との接続ロックが解除された直後は、板バネ１１２ｃ１が全長の伸びる方向に弾性変形しているため、ロック解除部材１１４とコネクタ本体部１１６との間には、両者を引き寄せる方向に板バネ１１２ｃ１による大きな付勢力が発生する。
【０１３２】
このため、本実施例によれば、ロック解除部材１１４をＹ２方向に移動させることによりケーブルコネクタ１１０とシュラウド４０との接続ロックが解除された直後、上記第４実施例の場合と同様に、別途にロック解除部材１１４を操作することなく、ロック解除部材１１４とコネクタ本体部１１６との相対位置を図２６（Ｃ）に示す如く元の位置に確実に復帰させることができる。従って、本実施例のケーブルコネクタ１１０によれば、上記第４実施例のケーブルコネクタ１００と同様に、シュラウド４０との接続について優れた信頼性を確保することができる。
【０１３３】
また、本実施例においては、上述の如く、板バネ１１２ｃ１が下側シールドカバー１１２に一体に形成されている。このため、本実施例によれば、上記第４実施例の如く別部材でロック解除部材とコネクタ本体部との間に板バネを設ける場合に比して部品点数を抑制することができ、その結果、ケーブルコネクタ１１０の組付性の向上を図ることが可能となっている。
【０１３４】
ところで、本実施例においては、下側シールドカバー１１２の側面部１１２ｃに板バネ１１２ｃ１が一体に形成されているが、本発明はこれに限定されるものではなく、下側シールドカバー１１２の側面部１１２ｃに代えて、上側シールドカバー５９の側面部５９ｃに板バネを一体に形成することとしてもよい。
【０１３５】
〔第６実施例〕
図２７は、本発明の第６実施例のケーブルコネクタ１２０の要部の分解斜視図を示す。また、図２８は、本実施例のケーブルコネクタ１２０の、シュラウド４０への接続ロックを解除する過程における状態変化を示す。図２８（Ａ）にはケーブルコネクタ１２０がシュラウド４０に接続ロックされた状態が、図２８（Ｂ）にはケーブルコネクタ１２０がロック解除される直前の状態が、また、図２８（Ｃ）にはケーブルコネクタ１２０がロック解除された後の状態が、それぞれ示されている。尚、図２７および図２８（Ａ）〜（Ｃ）において、上記第１実施例のケーブルコネクタ５１の構成部分と同一の部分については、同一の符号を付してその説明を省略する。
【０１３６】
図２７および図２８に示す如く、ケーブルコネクタ１２０は、第１および第２の信号コンタクト５３，５４が組み込まれた電気絶縁性を有する合成樹脂製のハウジング１２２と、ハウジング１２２の両側面に取り付けられるラッチ爪部材５６，５７と、ハウジング１２２を覆う下側および上側シールドカバー５８，５９と、下側および上側シールドカバー５８，５９の一部を覆う電気絶縁性を有する合成樹脂製のロック解除部材１２４とを有している。以下、ハウジング１２２、および、下側および上側シールドカバー５８，５９を総称する場合は、コネクタ本体部１２６と称す。
【０１３７】
ハウジング１２２は、上記第１実施例のハウジング５２において一方の側面のＹ１方向端に板バネ１２２ａが一体に形成されるような構成を有している。ロック解除部材１２４には、板バネ１２２ａを取り付けるための掛止部１２４ａが設けられている。板バネ１２２ａは、略Ｖ字状に形成されており、ロック解除部材１２４とコネクタ本体部１２６とが組み付けられた際にその先端部がロック解除部材１２４の掛止部１２４ａに固定されるように配置されている。板バネ１２２ａは、ロック解除部材１２４とコネクタ本体部１２６との組付後、両者を引き寄せる方向に付勢力を発生させる。
【０１３８】
本実施例においても、ケーブルコネクタ１２０がシュラウド４０に接続されている状態（図２８（Ａ））から、ロック解除部材１２４をコネクタ本体部１２６に対してＹ２方向に移動させる（図２８（Ｂ））と、ケーブルコネクタ１２０とシュラウド４０との接続ロックが解除される。従って、本実施例によれば、上記第１実施例と同様に、ケーブルコネクタ１２０のシュラウド４０への接続を操作性よく簡単に解除することができる。
【０１３９】
本実施例において、ケーブルコネクタ１２０とシュラウド４０との接続ロックが解除された直後は、ハウジング１２２に形成された板バネ１２２ａが全長の伸びる方向に弾性変形しているため、ロック解除部材１２４とコネクタ本体部１２６との間には、両者を引き寄せる方向に板バネ１２２ａによる大きな付勢力が発生する。
【０１４０】
このため、本実施例によれば、ロック解除部材１２４をＹ２方向に移動させることによりケーブルコネクタ１２０とシュラウド４０との接続ロックが解除された直後、上記第４実施例の場合と同様に、別途にロック解除部材１２４を操作することなく、ロック解除部材１２４とコネクタ本体部１２６との相対位置を図２８（Ｃ）に示す如く元の位置に確実に復帰させることができる。従って、本実施例のケーブルコネクタ１２０によれば、上記第４実施例のケーブルコネクタ１００と同様に、シュラウド４０との接続について優れた信頼性を確保することができる。
【０１４１】
また、本実施例においては、上述の如く、板バネ１２２ａがハウジング１２２に一体に形成されている。このため、本実施例によれば、上記第５実施例と同様に、別部材でロック解除部材とコネクタ本体部との間に板バネを設ける場合に比して部品点数を抑制することができ、その結果、ケーブルコネクタ１２０の組付性の向上を図ることが可能となっている。
【０１４２】
〔第７実施例〕
図２９は、本発明の第７実施例のケーブルコネクタ１３０の、シュラウド４０への接続ロックを解除する過程における状態変化を示す。図２９（Ａ）にはケーブルコネクタ１３０がシュラウド４０に接続ロックされた状態が、図２９（Ｂ）にはケーブルコネクタ１３０がロック解除される直前の状態が、また、図２９（Ｃ）にはケーブルコネクタ１３０がロック解除された後の状態が、それぞれ示されている。
【０１４３】
本実施例のケーブルコネクタ１３０は、上記第１実施例のケーブルコネクタ５１において、ハウジング５２に代えてハウジング１３２を、また、ロック解除部材６０に代えてロック解除部材１３４をそれぞれ用いることにより実現される。以下、ハウジング１３２、および、下側および上側シールドカバー５８，５９を総称する場合は、コネクタ本体部１３６と称す。尚、図２９（Ａ）〜（Ｃ）において、上記第１実施例のケーブルコネクタ５１の構成部分と同一の部分については、同一の符号を付してその説明を省略する。
【０１４４】
図２９に示す如く、ロック解除部材１３４は、箱部１３４ａと、箱部１３４ａのＸ１，Ｘ２方向端からＹ１方向に延在する腕部１３４ｂ，１３４ｃとを有している。箱部１３４ａのＹ２方向側の内面端には、逆Ｓ字状のバネ１３４ａ１が一体に形成されている。ハウジング１３２のＹ２方向端には、バネ１３４ａ１を取り付けるための掛止部１３２ａが設けられている。バネ１３４ａ１は、ロック解除部材１３４とコネクタ本体部１３６とが組み付けられた際にその先端部がハウジング１３２の掛止部１３２ａに固定されるように配置されている。バネ１３４ａ１は、ロック解除部材１３４とコネクタ本体部１３６との組付後、両者を引き寄せる方向に付勢力を発生させる。
【０１４５】
本実施例において、ケーブルコネクタ１３０がシュラウド４０に接続されている状態（図２９（Ａ））から、ロック解除部材１３４をコネクタ本体部１３６に対してＹ２方向に移動させる（図２９（Ｂ））と、ケーブルコネクタ１３０とコネクタ本体部１３６との接続ロックが解除される。ケーブルコネクタ１３０とコネクタ本体部１３６との接続ロックが解除された直後は、バネ１３４ａ１が全長の伸びる方向に弾性変形しているため、ロック解除部材１３４とコネクタ本体部１４６との間には、両者を引き寄せる方向にバネ１３４ａ１による大きな付勢力が発生する。
【０１４６】
このため、本実施例によれば、ロック解除部材１３４をＹ２方向に移動させることによりケーブルコネクタ１３０とシュラウド４０との接続ロックが解除された直後、上記第４実施例の場合と同様に、別途にロック解除部材１３４を操作することなく、ロック解除部材１３４とコネクタ本体部１３６との相対位置を図２９（Ｃ）に示す如く元の位置に確実に復帰させることができる。従って、本実施例のケーブルコネクタ１３０によれば、上記第４実施例のケーブルコネクタ１００と同様に、シュラウド４０との接続について優れた信頼性を確保することができる。
【０１４７】
また、本実施例においては、上述の如く、バネ１３４ａ１がロック解除部材１３４に一体に形成されている。このため、本実施例によれば、上記第５実施例と同様に、別部材でロック解除部材とコネクタ本体部との間に板バネを設ける場合に比して部品点数を抑制することができ、その結果、ケーブルコネクタ１２０の組付性の向上を図ることが可能となっている。
【０１４８】
ところで、上記第４〜第７実施例においては、ハウジングとロック解除部材とを引き寄せる方向に付勢力を発生するバネを、それらのＸ１方向端側にのみ設けることとしたが、Ｘ２方向端側のみ、あるいは、両方向端側共にバネを設けることとしてもよい。
【０１４９】
〔第８実施例〕
図３０は、本発明の第８実施例のケーブルコネクタ１４０の、シュラウド４０への接続ロックを解除する過程における状態変化を示す。また、図３１は、本実施例のケーブルコネクタ１４０の要部の拡大図を示す。図３０（Ａ）にはケーブルコネクタ１４０がシュラウド４０に接続ロックされた状態が、図３０（Ｂ）にはケーブルコネクタ１４０がロック解除される直前の状態が、また、図３０（Ｃ）にはケーブルコネクタ１４０がロック解除された後の状態が、それぞれ示されている。
【０１５０】
本実施例のケーブルコネクタ１４０は、上記第１実施例のケーブルコネクタ５１において、ハウジング５２に代えてハウジング１４２を用いることにより実現される。以下、ハウジング１４２、および、下側および上側シールドカバー５８，５９を総称する場合は、コネクタ本体部１４４と称す。尚、図３０（Ａ）〜（Ｃ）および図３１（Ａ），（Ｂ）において、上記第１実施例のケーブルコネクタ５１の構成部分と同一の部分については、同一の符号を付してその説明を省略する。
【０１５１】
図３０に示す如く、ハウジング１４２は、内部側面の中央部に、ラッチ爪部材５６，５７を取り付けるための突起部１４２ａ，１４２ｂを有している。突起部１４２ａ，１４２ｂには、Ｙ１方向に延在する板バネ１４６，１４８が固定されている。板バネ１４６，１４８は、常態では図３１（Ａ）に示す如くその先端部がラッチ爪部材５６，５７の台形部５６ｃ，５７ｃに僅かに接触するように、また、ケーブルコネクタ１４０とシュラウド４０との接続ロックが解除される過程では同図（Ｂ）に示す如くその先端部がラッチ爪部材５６，５７の台形部５６ｃ，５７ｃにＸ１，Ｘ２方向に押圧されるように配置されている。かかる構成において、板バネ１４６，１４８は、上記接続ロックが解除される過程で弾性変形することにより、ラッチ爪部材５６，５７を外側に向けて付勢する付勢力を発生させる。
【０１５２】
本実施例において、ケーブルコネクタ１４０がシュラウド４０に接続されている状態（図３０（Ａ））から、ロック解除部材６０をコネクタ本体部１４４に対してＹ２方向に移動させる（図３０（Ｂ））と、ロック解除部材６０に形成された突起部６０ｄ，６０ｅがラッチ爪部材５６，５７の傾斜部５６ｃ１，５７ｃ１を内側に押圧する。そして、ロック解除部材６０のＹ２方向への移動が継続すると、ラッチ爪部材５６，５７が、シュラウド本体４１の開口４１ａ１，４１ｂ１から外れることにより、ケーブルコネクタ１４０とシュラウド４０との接続ロックが解除される（図３０（Ｃ））。
【０１５３】
上記接続ロックが解除された直後、ラッチ爪部材５６，５７には、板バネ１４６，１４８によって、外側へ向かう大きな付勢力が作用している。すなわち、本実施例の板バネ１４６，１４８によれば、上記接続ロックが解除された直後に、ラッチ爪部材５６，５７自身のバネ力を補助する力を発生させることができる。かかる力が生じると、ラッチ爪部材５６，５７の傾斜部５６ｃ１，５７ｃ１がロック解除部材６０の突起部６０ｄ，６０ｅをＹ１方向に押し戻すことにより、ロック解除部材６０は、コネクタ本体部１４４に対してＹ１方向に戻される。
【０１５４】
このため、本実施例によれば、ロック解除部材６０をＹ２方向に移動させることによりケーブルコネクタ１４０とシュラウド４０との接続ロックが解除された直後、別途にロック解除部材６０を操作することなく、ロック解除部材６０とコネクタ本体部１４４との相対位置を、図３０（Ｃ）に示す如く元の位置に確実に復帰させることができる。従って、本実施例のケーブルコネクタ１４０によれば、シュラウド４０との接続の高い信頼性を確保することが可能となっている。
【０１５５】
〔第９実施例〕
図３２は本発明の第９実施例のコネクタ装置２００を分解して示し、図３３はケーブルコネクタ２５０を分解して示す。各図中、図２及び図１３に示す構成部分と対応する構成部分には対応する符号を付す。
２１は通信装置、２２は通信装置２１のバックパネルである。通信装置２１の内部２１ａは従来と同じ構成である。バックパネル２２の前面（通信装置２１の内部２１ａ側の面）には、長いピン端子２３を有するプラグ２４が実装してあり、ピン端子２３はバックパネル２２の貫通孔を貫通してバックパネル２２の背面側に突き出ている。プラグ２４には、通信装置２１の内部２１ａで、ジャック２５が接続してある。
【０１５６】
コネクタ装置２００は、コネクタ２２０と、ケーブル５０の端のプルタブ付きのケーブルコネクタ２５０とを有し、平衡伝送及び高速信号の伝送に適した構造を有する。コネクタ２２０は、バックパネル２２の背面側に突き出ているピン端子群３１と、バックパネル２２に固定されたシュラウド２４０とよりなる。
ケーブルコネクタ２５０は、図２に示すケーブルコネクタ５０の芯数の３倍の３０の芯を有する構成であり、ハウジング組立体２５１と、ロック解除部材６０Ｈとよりなる。
ハウジング組立体２５１は、共に電気絶縁性を有する合成樹脂製である中央のハウジング５２Ｍ（ｍｉｄｄｌｅ）と、下側のハウジング５２Ｌ（ｌｏｗｅｒ）と、上側のハウジング５２Ｕ（ｕｐｐｅｒ）が、ハウジング５２Ｍとハウジング５２Ｕとの間に金属板製の仕切りシールドカバー２５２を介在させて、ハウジング５２Ｌとハウジング５２Ｍとの間に金属板製の仕切りシールドカバー２５３を介在させて、積み重なっており、且つ、積み重なっている３つのハウジング５２Ｌ、５２Ｍ，５２Ｕの外側が金属板製の上側シールドカバー５９Ｇと金属板製の下側シールドカバー５８Ｇとによって包まれており、且つ、各ハウジング５２Ｌ、５２Ｍ，５２Ｕの内部に5本の第１の信号コンタクト５３及び5本の第２の信号コンタクト５４が整列して電線押さえ部材５５と共に組み込まれており、且つ、中央のハウジング５２Ｍの両側にラッチ爪部材５６，５７が取り付けてある構成である。なお、仕切りシールドカバー２５２はハウジング５２Ｕに取り付けてあり、仕切りシールドカバー２５３はハウジング５２Mに取り付けてある。
【０１５７】
上側シールドカバー５９Ｇと下側シールドカバー５８Ｇとは、舌部５９Ｇｄ、５８Ｇｄをかしめリング６１によってケーブル５０と共に固定されている。
ロック解除部材６０Ｈは、上記のハウジング組立体２５１に対応する大きさの箱部６０Ｈａと、箱部６０ＨａのＸ２，Ｘ１方向端よりＹ１方向に平行に延びている腕部６０Ｈｂ，６０Ｈｃと、腕部６０Ｈｂ，６０ＨｃのＹ１方向端の内側に対向するように突き出ている突起部６０Ｈｄ，６０Ｈｅと、箱部６０ＨａよりＹ２方向に延びているプルタブ部６０Ｈｆとを有する。箱部６０Ｈａは、ハウジング組立体２５１のＹ２方向端寄りの部分を囲んでいる。腕部６０Ｈｂ，６０Ｈｃは、ハウジング組立体２５１の左右側に沿っている。突起部６０Ｈｄ，６０Ｈｅは、夫々ラッチ爪部材５６，５７に対向している。
【０１５８】
腕部６０Ｈｂ，６０Ｈｃは、ハウジング５２を覆っている上側シールドカバー５９の側板部５９ｂ，５９ｃに沿っている。腕部６０ｂ，６０ｃの途中の矩形の開口６０ｂ１，６０ｃ１が、上記の突起５２ｃ，５２ｄに嵌合している。
【０１５９】
上記構成のケーブルコネクタ２５０は、図２に示すケーブルコネクタ５０に比べて、端子の数は３倍であり、しかも、電磁シールド特性は図２に示すケーブルコネクタ５０と同じである特性を有する。即ち、ハウジング５２Ｌ内の信号コンタクトとハウジング５２M内の信号コンタクトとは仕切りシールドカバー２５３によって電磁シールドされており、ハウジング５２M内の信号コンタクトとハウジング５２U内の信号コンタクトとは仕切りシールドカバー２５２によって電磁シールドされており、ケーブルコネクタ２５０は、図２に示すケーブルコネクタ５０と同等である良好な電磁シールド特性を有する。
コネクタ２２０は、上記構成のケーブルコネクタ２５０に対応した構造を有する。即ち、図３２に示すように、シュラウド２４０を構成するシュラウド本体２４１は、電気絶縁性を有する合成樹脂製であり略直方体の箱形状であり、仕切り壁２４１ｆによって仕切られてケーブルコネクタ２５０に対応した大きさのシュラウド区画部２４４−１〜２４４−３に区画された構成である。各シュラウド区画部毎に、３０本のピン端子２３が突き出ている。シュラウド本体２４１のＸ１，Ｘ２方向の両側に金属板製のシールド板２４２、２４３がインサートモールドされて組み込まれている。シールド板２４２、２４３は櫛歯状に分散して突き出ている複数のリード部２４２ｂ、２４３ｂを有する。シュラウド２４０は、リード部２４２ｂ、２４３ｂをバックパネル２２のスルーホール３５に挿入されてバックパネル２２上に固定してある。
上記のケーブルコネクタ２５０は、前記のケーブルコネクタ５０の場合と同様に対応するシュラウド区画部２４４−１〜２４４−３に挿入され、各端子がピン端子２３と接続され、ラッチ爪部材５６，５７が開口２４１ａ１，２４１ｂ１に係合された状態で接続される。なお、誤挿入防止キー部２５２ｅ及び誤挿入防止溝２４７によって、上下の向き及び場所を誤った接続が制限される。また、ケーブルコネクタ２５０は、前記のケーブルコネクタ５０の場合と同様にロック解除部材６０ＨをＹ２方向に引く操作をすることによって、突起部６０Ｈｄ，６０Ｈｅが夫々ラッチ爪部材５６，５７を押して、ラッチが解除されて、続いてコネクタ２２０から引き抜かれる。
なお、ピン端子２３の数を同じとした条件の下で、コネクタ２２０を図２のコネクタ２０のZ1−Z2方向の寸法Lと比較すると、コネクタ２２０のZ1−Z2方向の寸法L1は、仕切り壁２４１ｆの数が少ない分、短くなっており、小型化が図られている。これによって、通信装置２１のバックパネル２２が有効に利用される。
【０１６０】
なお、上記実施例のコネクタ装置２００は、ケーブルコネクタ２５０が３つのハウジング５２L,５２M,５２Uを積み重ねた構成としてあるけれども、積み重ねるハウジングの数は３つに限らず、２つ、又は、４つでもよい。
【０１６１】
【発明の効果】
上述の如く、請求項１の発明は、パネルより突き出ているピン端子が内側に突き出した状態で該パネルに取付けられ、ケーブルコネクタが接続されるシュラウドにおいて、電気絶縁材製であり略直方体の箱形状であり、仕切り壁で仕切られて区画され、上記ケーブルコネクタが接続される複数のシュラウド区画部が並んでいるシュラウド本体と、本体部と複数の端子部とを有し、該本体部が該シュラウド本体の内側面に露出して組み込まれており、上記複数の端子部が上記シュラウド本体の底側に突き出している金属板製のシールド板とよりなり、上記シュラウド本体は、その底面より突き出したスタンドオフを分散して複数有し、上記シールド板の上記端子部が、上記スタンドオフより突き出している構成としたものであるため、シュラウドがパネルに取付けられてパネル上にケーブルコネクタ用コネクタが構築された状態で、シールド板がグランド電位とされ、よって、電磁適合性の向上を図ることが出来、これによって、高速信号の伝送に対応することが出来る。また、ケーブルコネクタ用コネクタが各シュラウド区画部に接続されることによって、ケーブルコネクタ用コネクタを電磁適合性の向上が図られた状態で、しかも高密度に並んで接続させることが出来る。
【０１６２】
また、上記シュラウド本体は、その底面より突き出したスタンドオフを分散して複数有し、上記シールド板の上記端子部が、上記スタンドオフより突き出している構成としたものであるため、ピン端子のうちスタンドオフに対応する部分にワイヤラッピングエリアが確保され、この部分を利用して、パネルの配線の変更等のためのワイヤの端部を巻くことが可能となる。
【０１６３】
請求項２の発明は、上記シュラウド本体は、上記仕切り壁にケーブルコネクタ誤挿入防止溝を有する構成としたものであるため、ケーブルコネクタをこれが接続されるべきシュラウド区画部とは別のシュラウド区画部に接続しようとした場合に、挿入が阻止されて誤挿入を防止することが出来る。
【０１６４】
請求項３の発明は、上記シールド板は、その本体部にロック用開口を有する構成としたものであるため、接続されたケーブルコネクタのケーブルを誤って強く引っぱった場合の力が、シールド板で受けられ、シュラウド本体に及ばないように出来、これによって、電気絶縁材製のシュラウド本体が割れる等の事故の発生を防止することが出来る。
【０１６５】
請求項４の発明は、シールド板は、その端子部がプレスフィット構造である構成としたものであるため、ねじ等で固定する場合に必要な取付け用のスペースが不要に出来、よって、シュラウドをパネルに最小の面積で取り付けることが出来る。また、シュラウドのパネルへの固定は圧入で済み、シュラウドをパネルへ固定する作業を簡単に行なうことが出来る。
【０１６６】
請求項５の発明は、シールド板は、上記複数の端子部が上記本体部から櫛歯状に分散して突き出ており、該各端子部がプレスフィット構造である構成としたものであるため、ケーブルコネクタが引かれたときの力を全部の端子部で分散して受けることになり、よって、引抜きに強い構造を実現出来る。
【図面の簡単な説明】
【図１】従来のコネクタ装置を示す図である。
【図２】本発明の第１実施例のコネクタ装置を示す図である。
【図３】図２のコネクタ装置の接続前の状態を示す図である。
【図４】図２のコネクタ装置の接続された状態を示す図である。
【図５】図２のコネクタ装置の接続解除時の状態を示す図である。
【図６】シュラウドのバックパネル上の配置を示す図である。
【図７】シュラウドを分解して示す斜視図である。
【図８】シュラウドを示す図である。
【図９】図７中、IX-IX 線を含むＸ−Ｙ面で断面した図である。
【図１０】図２中、Ｘ−Ｘ線を含むＸ−Ｙ面で断面した図である。
【図１１】図８中、XI-XI 線を含むＸ−Ｙ面で断面した図である。
【図１２】シュラウド区画部の誤挿入防止溝の配置を示す図である。
【図１３】ケーブルコネクタの分解斜視図である。
【図１４】ハウジングを拡大して示す図である。
【図１５】突起部周りの構造を示す図である。
【図１６】シュラウドの変形例の分解斜視図である。
【図１７】図１６中、XVII-XVII 線を含むＸ−Ｙ面で断面した図である。
【図１８】本発明の第２実施例のコネクタ装置の接続された状態を示す図である。
【図１９】図１８中のケーブルコネクタの分解斜視図である。
【図２０】本発明の第３実施例のケーブルコネクタ用コネクタを示す斜視図である。
【図２１】図２０のケーブルコネクタ用コネクタを分解して示す斜視図である。
【図２２】図２０中、XXII-XXII 線を含むＸ−Ｙ面で断面した図である。
【図２３】シールド板の変形例を示す図である。
【図２４】本発明の第４実施例のケーブルコネクタの、シュラウドへの接続ロックを解除する過程における状態変化を示す図である。
【図２５】本発明の第５実施例のケーブルコネクタの要部の分解斜視図である。
【図２６】図２５のケーブルコネクタの、シュラウドへの接続ロックを解除する過程における状態変化を示す図である。
【図２７】本発明の第６実施例のケーブルコネクタの要部の分解斜視図である。
【図２８】図２７のケーブルコネクタの、シュラウドへの接続ロックを解除する過程における状態変化を示す図である。
【図２９】本発明の第７実施例のケーブルコネクタの、シュラウドへの接続ロックを解除する過程における状態変化を示す図である。
【図３０】本発明の第８実施例のケーブルコネクタの、シュラウドへの接続ロックを解除する過程における状態変化を示す図である。
【図３１】図３０のケーブルコネクタの要部の拡大図である。
【図３２】本発明の第９実施例のコネクタ装置を示す斜視図である。
【図３３】図３２中のケーブルコネクタを分解して示す図である。
【符号の説明】
２１  通信装置
２２  バックパネル
３１  ピン端子群
４０、２４０  シュラウド
４１、２４１  シュラウド本体
４１ｆ、２４１ｆ  仕切り壁
４１ｇ，４１ｈ  スタンドオフ
４２、４３  シールド板
４２ａ１，４３ａ１  ロック用開口
４４−１〜４４−８，２４４−１〜２４４−３  シュラウド区画部
４８  ケーブルコネクタ用コネクタ
５１，１００，１１０，１２０，１３０，１４０，２５０  ケーブルコネクタ
５２，１０２，１２２，１３２，１４２  ハウジング
５３  第１の信号コンタクト
５４  第２の信号コンタクト
５５  電線押さえ部材
５６，５７  ラッチ爪部材
５８，５８G,１１２  下側シールドカバー
５９、５９G,  上側シールドカバー
６０，１０４，１１４，１２４，１３４  ロック解除部材
８０  ケーブルコネクタ用コネクタ
１０６，１１６，１２６，１３６，１４４  コネクタ本体部
１０８，１１２ｃ１，１２２ａ，１３４ａ１，１４８，１４９  バネ
２５１  ハウジング組立体
２５２，２５３  仕切りシールドカバー
【図１】
0004279965.tif 000002
【図２】
0004279965.tif 000003
【図３】
0004279965.tif 000004
【図４】
0004279965.tif 000005
【図５】
0004279965.tif 000006
【図６】
0004279965.tif 000007
【図７】
0004279965.tif 000008
【図８】
0004279965.tif 000009
【図９】
0004279965.tif 000010
【図１０】
0004279965.tif 000011
【図１１】
0004279965.tif 000012
【図１２】
0004279965.tif 000013
【図１３】
0004279965.tif 000014
【図１４】
0004279965.tif 000015
【図１５】
0004279965.tif 000016
【図１６】
0004279965.tif 000017
【図１７】
0004279965.tif 000018
【図１８】
0004279965.tif 000019
【図１９】
0004279965.tif 000020
【図２０】
0004279965.tif 000021
【図２１】
0004279965.tif 000022
【図２２】
0004279965.tif 000023
【図２３】
0004279965.tif 000024
【図２４】
0004279965.tif 000025
【図２５】
0004279965.tif 000026
【図２６】
0004279965.tif 000027
【図２７】
0004279965.tif 000028
【図２８】
0004279965.tif 000029
【図２９】
0004279965.tif 000030
【図３０】
0004279965.tif 000031
【図３１】
0004279965.tif 000032
【図３２】
0004279965.tif 000033
【図３３】
0004279965.tif 000034